(57)【要約】【課題】小型で安全性が高く且つ必要な情報のみを迅速に提供等することができる印刷物内容情報管理システム等を提供すること。【解決手段】タグ側送受信手段１０３を有するタグ部１００ａと、タグリーダ部２１０を備える端末装置２００と、端末装置と通信するための通信管理装置側送受信手段４０９を有する印刷物内容情報管理装置４００と、を有し、タグ部は、固有識別情報格納手段と、利用情報を格納する利用情報格納手段１０２を有し、端末装置は、タグリーダ部が取得した利用情報に基づいて印刷物内容要求情報を生成するための印刷物内容要求情報生成情報格納手段２３１を有し、印刷物内容情報管理装置は、印刷物内容情報格納手段４１２と、印刷物内容配信情報を生成するための内容配信生成情報格納手段４１４と、を有する印刷物内容情報管理システム１０。【選択図】図１
2005258658.tif 000002
【特許請求の範囲】
【請求項１】
外部と通信を行うためのタグ側送受信手段を有する電子部品からなるタグ部と、
前記タグ側送受信手段と通信可能なタグリーダ部を備える端末装置と、
前記端末装置と通信するための管理装置側送受信手段を有する印刷物内容情報管理装置と、を有する印刷物内容情報管理システムであって、
前記タグ部は、
固有識別情報を格納する固有識別情報格納手段と、
印刷物の内容情報を取得するための利用情報を電子データとして格納する利用情報格納手段を有し、
前記端末装置は、
前記タグリーダ部が取得した少なくとも前記利用情報に基づいて前記印刷物内容情報管理装置に対して送信する印刷物内容要求情報を生成する印刷物内容要求情報生成情報を格納する印刷物内容要求情報生成情報格納手段を有し、
前記印刷物内容情報管理装置は、
前記印刷物の内容情報を格納する印刷物内容情報格納手段と、
前記印刷物内容要求情報と前記印刷物の内容情報に基づき印刷物内容配信情報を生成する印刷物内容配信情報生成情報を格納する印刷物内容配信情報生成情報格納手段と、を有することを特徴とする印刷物内容情報管理システム。
【請求項２】
前記印刷物内容情報格納手段内の前記印刷物の内容情報には、動画情報が含まれることを特徴とする請求項１に記載の印刷物内容情報管理システム。
【請求項３】
前記タグ部の前記利用情報には、前記印刷物情報の課金情報が含まれ、
前記端末装置と通信可能である課金装置が接続され、
前記端末装置は、
前記課金装置に対し送信する課金実行情報を生成する課金実行情報生成情報を格納する課金実行情報生成情報格納手段を有し、
前記課金装置は、
前記課金実行情報に基づき、前記端末装置に送信する課金確認等情報を生成する課金確認等情報生成情報を格納する課金確認等情報生成情報格納手段を有し、
前記端末装置の前記内容要求生成情報が、少なくとも前記利用情報及び前記課金確認等情報に基づいて前記印刷物内容要求情報を生成することを特徴とする請求項１又は請求項２に記載の印刷物内容情報管理システム。
【請求項４】
印刷物の内容情報を格納する印刷物内容情報格納手段と、
電子部品から成り固有識別情報を有するタグ部から端末装置のタグリーダ部が取得した、少なくとも利用情報に基づいて、前記端末装置が生成した印刷物内容要求情報を受信する印刷物内容要求情報取得手段と、
前記印刷物内容要求情報と、前記印刷物の内容情報に基づき印刷物内容配信情報を生成する印刷物内容配信情報生成情報を格納する印刷物内容配信情報生成情報格納手段と、
前記印刷物内容配信情報を前記端末装置に送信する印刷物内容配信情報送信手段と、を有することを特徴とする印刷物内容情報管理装置。
【請求項５】
電子部品からなるタグ部の利用情報格納手段に印刷物の内容情報を取得するための利用情報を電子データとして格納する利用情報格納工程と、
端末装置のタグリーダ部が前記タグ部から前記利用情報を取得する利用情報取得工程と、
前記端末装置が、前記タグリーダ部が取得した少なくとも前記利用情報に基づいて発行元管理装置に対して送信する印刷物内容要求情報を生成する印刷物内容要求情報生成工程と、
発行元管理装置が、前記端末装置から前記印刷物内容要求情報を取得する印刷物内容要求情報取得工程と、
前記発行元管理装置が、印刷物内容情報格納手段内の前記印刷物の内容情報と、前記端末装置から取得した前記印刷物内容要求情報と、に基づき印刷物内容配信情報を生成する印刷物内容配信情報生成工程と、
前記端末装置が、前記発行元管理装置から前記印刷物内容配信情報を取得する印刷物内容配信情報取得工程と、を有することを特徴とする印刷物内容情報管理方法。
【請求項６】
前記印刷物内容配信情報生成工程で生成される前記印刷物内容配信情報には動画情報が含まれることを特徴とする請求項５に記載の印刷物内容情報管理方法。
【請求項７】
前記利用情報格納工程の前記利用情報には、前記印刷物情報の課金情報が含まれ、
前記端末装置が課金装置に対し送信する課金実行情報を生成する課金実行情報生成工程と、
課金装置が前記端末装置から取得した前記課金実行情報に基づき、前記端末装置に送信する課金確認等情報を生成する課金確認等情報生成工程と、を有し、
前記印刷物内容要求情報生成工程で、少なくとも前記利用情報及び前記課金確認等情報に基づいて前記印刷物内容要求情報を生成することを特徴とする請求項５又は請求項６に記載の印刷物内容情報管理方法。
【請求項８】
印刷物の内容情報を印刷物内容情報格納手段に格納する印刷物内容情報格納工程と、
印刷物内容要求情報取得手段が、電子部品から成り固有識別情報を有するタグ部から端末装置のタグリーダ部が取得した、少なくとも利用情報に基づいて、前記端末装置が生成した印刷物内容要求情報を受信する印刷物内容要求情報取得工程と、
前記印刷物内容要求情報と、前記印刷物の内容情報に基づき印刷物内容配信情報を生成する印刷物内容配信情報生成工程と、
印刷物内容配信情報送信手段が、前記印刷物内容配信情報を前記端末装置に送信する印刷物内容配信情報送信工程と、を有することを特徴とする印刷物内容情報管理装置の制御方法。
【請求項９】
コンピュータに、印刷物の内容情報を印刷物内容情報格納手段に格納する印刷物内容情報格納工程と、
印刷物内容要求情報取得手段が、電子部品から成り固有識別情報を有するタグ部から端末装置のタグリーダ部が取得した、少なくとも利用情報に基づいて、前記端末装置が生成した印刷物内容要求情報を受信する印刷物内容要求情報取得工程と、
前記印刷物内容要求情報と、前記印刷物の内容情報に基づき印刷物内容配信情報を生成する印刷物内容配信情報生成工程と、
印刷物内容配信情報送信手段が、前記印刷物内容配信情報を前記端末装置に送信する印刷物内容配信情報送信工程と、を実行させるための印刷物内容情報管理装置の制御プログラム。
【請求項１０】
コンピュータに、印刷物の内容情報を印刷物内容情報格納手段に格納する印刷物内容情報格納工程と、
印刷物内容要求情報取得手段が、電子部品から成り固有識別情報を有するタグ部から端末装置のタグリーダ部が取得した、少なくとも利用情報に基づいて、前記端末装置が生成した印刷物内容要求情報を受信する印刷物内容要求情報取得工程と、
前記印刷物内容要求情報と、前記印刷物の内容情報に基づき印刷物内容配信情報を生成する印刷物内容配信情報生成工程と、
印刷物内容配信情報送信手段が、前記印刷物内容配信情報を前記端末装置に送信する印刷物内容配信情報送信工程と、を実行させるための印刷物内容情報管理装置の制御プログラムを記録したコンピュータ読み取り可能な記録媒体。
【発明の詳細な説明】
【技術分野】
【０００１】
本発明は、例えば、新聞、雑誌等の印刷物の内容情報を配信等する印刷物内容情報管理システム、印刷物内容情報管理装置、印刷物内容情報管理方法、印刷物内容情報管理装置の制御方法、印刷物内容情報管理装置の制御プログラム、印刷物内容情報管理装置の制御プログラムを記録したコンピュータ読み取り可能な記録媒体に関するものである。
【背景技術】
【０００２】
従来より、新聞、雑誌等の販売店等が新聞等の印刷物を大量に且つ、多種類販売等するためには、販売面積等を広く確保する必要があった。
一方、印刷物である新聞等を購入する消費者も、新聞等の一部の情報のみを入手したい場合でも、当該情報のみを取得することはできず、不必要な情報が記載されている部分も含めて併せて購入する必要があった。
【０００３】
これに対し、新聞等の一部の情報等を印刷物上の文字等ではなく、例えば２次元コード等のＱＲコード等とし、消費者がこのＱＲコード等を読み取り機で読み取ることで情報を入手することも考えられる（例えば、特許文献１）。
【特許文献１】特開２０００−２６７９６６号公報
【発明の開示】
【発明が解決しようとする課題】
【０００４】
しかし、このＱＲコード等は２次元コードであるため、格納する情報が増加すると平面的に大型化し、雑誌等のデザイン等を阻害するという問題があった。
また、ＱＲコード等はスキャナ装置で容易に複製を作ることができ、情報を簡単に盗まれるという問題があった。
【０００５】
そこで、本発明は、小型で安全性が高く、且つ必要な情報のみを迅速に提供等することができる印刷物内容情報管理システム、印刷物内容情報管理方法、印刷物内容情報管理プログラム、印刷物内容情報管理プログラムを記録したコンピュータ読み取り可能な記録媒体を提供することを目的とする。
【課題を解決するための手段】
【０００６】
前記課題は、第１の発明によれば、外部と通信を行うためのタグ側送受信手段を有する電子部品からなるタグ部と、前記タグ側送受信手段と通信可能なタグリーダ部を備える端末装置と、前記端末装置と通信するための管理装置側送受信手段を有する印刷物内容情報管理装置と、を有する印刷物内容情報管理システムであって、前記タグ部は、固有識別情報を格納する固有識別情報格納手段と、印刷物の内容情報を取得するための利用情報を電子データとして格納する利用情報格納手段を有し、前記端末装置は、前記タグリーダ部が取得した少なくとも前記利用情報に基づいて前記印刷物内容情報管理装置に対して送信する印刷物内容要求情報を生成する印刷物内容要求情報生成情報を格納する印刷物内容要求情報生成情報格納手段を有し、前記印刷物内容情報管理装置は、前記印刷物の内容情報を格納する印刷物内容情報格納手段と、前記印刷物内容要求情報と前記印刷物の内容情報に基づき印刷物内容配信情報を生成する印刷物内容配信情報生成情報を格納する印刷物内容配信情報生成情報格納手段と、を有することを特徴とする印刷物内容情報管理システムにより達成される。
【０００７】
第１の発明の構成によれば、前記タグ部は、電子部品からなり、外部と通信を行うためのタグ側送受信手段と、前記固有識別情報を格納する固有識別情報格納手段と、前記印刷物の内容情報を取得するための利用情報を電子データとして格納する利用情報格納手段を有している。
また、前記端末装置は、前記タグ側送受信手段と通信可能なタグリーダ部を有し、前記タグリーダ部が取得した少なくとも前記利用情報に基づいて前記印刷物内容情報管理装置に対して送信する印刷物内容要求情報を生成する印刷物内容要求情報生成情報を格納する印刷物内容要求情報生成情報格納手段を有している。
また、前記印刷物内容情報管理装置は、前記端末装置と通信するための管理装置側送受信手段を有し、前記印刷物の内容情報を格納する印刷物内容情報格納手段と、前記印刷物内容要求情報と前記印刷物の内容情報に基づき印刷物内容配信情報を生成する印刷物内容配信情報生成情報を格納する印刷物内容配信情報生成情報格納手段と、を有する。
【０００８】
すなわち、例えば、新聞や雑誌等の前記印刷物の例えば、記事等の内容情報は前記印刷物内容情報管理装置の前記印刷物内容情報格納手段に配置されている。また、実際に例えば、店頭に配置される前記タグには、前記新聞等の記事に関する記事の見出し情報や記事ＩＤ情報等である前記利用情報が格納されている。
このため、先ず、例えば、新聞等を購入しようとする利用者は、前記端末装置の前記タグリーダ部を介して前記タグ部の新聞等の記事の見出し情報等を入手する。そして、入手した記事の見出し情報のうち、利用者が購入を希望する記事について、前記端末装置は例えば、当該記事内容を入手したい旨の印刷物内容要求情報を生成する。
前記端末装置からの前記印刷物内容要求情報を受信した前記印刷物内容情報管理装置は、前記印刷物内容情報格納手段内の当該記事内容等を抽出して、前記印刷物内容配信情報を生成し、前記端末装置に送信する。
【０００９】
したがって、利用者は自己の前記端末装置で必要な記事情報を例えば電子データ等として入手することができる。すなわち、新聞等を購入したい前記端末装置の所持者である利用者は、新聞等の記事等を印刷物でなく電子データ等として入手することができ、印刷物として保管する必要がないので、記事を保管等し易い。
また、新聞等の記事等は印刷物でなく、例えば電子データ等として前記発行元の前記印刷物内容情報格納手段に格納されるので、紙面等の制約がなく印刷物より多くの記事等を利用者に提供することができる。
一方、例えば、新聞等の販売店等は、新聞や雑誌等の印刷物を大量且つ多種類販売する場合でも、印刷物である新聞等を配置する必要がなく、また、小さくすることができる前記電子部品からなる前記タグ部を店頭に配置するだけで足りるので販売面積を著しく小さくすることができる。
また、前記タグ部は、固有識別情報格納手段に前記固有識別情報である例えば、ユニークＩＤ等を有しているので、従来のＱＲコード等のように容易に複製されることがなく、前記タグ部の前記利用情報を容易に盗まれることがない。
以上のように、本発明の構成によれば、前記タグ部は、小型で安全性が高く、且つ前記端末装置に必要な情報のみを迅速に提供することができる。
【００１０】
第２の発明によれば、第１の発明の構成において、前記印刷物内容情報格納手段内の前記印刷物の内容情報には、動画情報が含まれることを特徴とする印刷物内容情報管理システムである。
【００１１】
第２の発明の構成によれば、前記印刷物の内容情報には、動画情報が含まれるので、従来の印刷物では提供できなかった動画情報を前記端末装置に提供することができる。
【００１２】
第３の発明によれば、第１又は第２の発明の構成において、前記タグ部の前記利用情報には、前記印刷物情報の課金情報が含まれ、前記端末装置と通信可能である課金装置が接続され、前記端末装置は、前記課金装置に対し送信する課金実行情報を生成する課金実行情報生成情報を格納する課金実行情報生成情報格納手段を有し、前記課金装置は、前記課金実行情報に基づき、前記端末装置に送信する課金確認等情報を生成する課金確認等情報生成情報を格納する課金確認等情報生成情報格納手段を有し、前記端末装置の前記内容要求生成情報が、少なくとも前記利用情報及び前記課金確認等情報に基づいて前記印刷物内容要求情報を生成することを特徴とする印刷物内容情報管理システムである。
【００１３】
第３の発明の構成によれば、前記タグ部の前記利用情報には、前記印刷物情報の課金情報が含まれている。また、前記端末装置は前記課金装置と通信可能であり、前記課金実行情報を前記課金装置に送信する構成となっている。
また、前記課金装置は前記課金実行情報に基づき、前記端末装置に送信する課金確認等情報を生成する課金確認等情報生成情報を格納する課金確認等情報生成情報格納手段を有する。そして、前記端末装置の前記内容要求生成情報が、少なくとも前記利用情報及び前記課金確認等情報に基づいて前記印刷物内容要求情報を生成する。
このため、前記端末装置は前記課金装置の前記課金確認等情報に基づき前記発行元管理装置に前記印刷物内容要求情報を送信するので、課金を確実に行うことができる。
【００１４】
前記課題は、第４の発明によれば、印刷物の内容情報を格納する印刷物内容情報格納手段と、電子部品から成り固有識別情報を有するタグ部から端末装置のタグリーダ部が取得した、少なくとも利用情報に基づいて、前記端末装置が生成した印刷物内容要求情報を受信する印刷物内容要求情報取得手段と、前記印刷物内容要求情報と、前記印刷物の内容情報に基づき印刷物内容配信情報を生成する印刷物内容配信情報生成情報を格納する印刷物内容配信情報生成情報格納手段と、前記印刷物内容配信情報を前記端末装置に送信する印刷物内容配信情報送信手段と、を有することを特徴とする印刷物内容情報管理装置により達成される。
【００１５】
第４の発明の構成によれば、第１の発明と同様に、小型で安全性が高い前記タグ部を用いて前記端末装置に必要な情報のみを迅速に提供することができる印刷物内容情報管理装置となる。
【００１６】
前記課題は、第５の発明によれば、電子部品からなるタグ部の利用情報格納手段に印刷物の内容情報を取得するための利用情報を電子データとして格納する利用情報格納工程と、端末装置のタグリーダ部が前記タグ部から前記利用情報を取得する利用情報取得工程と、前記端末装置が、前記タグリーダ部が取得した少なくとも前記利用情報に基づいて発行元管理装置に対して送信する印刷物内容要求情報を生成する印刷物内容要求情報生成工程と、発行元管理装置が、前記端末装置から前記印刷物内容要求情報を取得する印刷物内容要求情報取得工程と、前記発行元管理装置が、印刷物内容情報格納手段内の前記印刷物の内容情報と、前記端末装置から取得した前記印刷物内容要求情報と、に基づき印刷物内容配信情報を生成する印刷物内容配信情報生成工程と、前記端末装置が、前記発行元管理装置から前記印刷物内容配信情報を取得する印刷物内容配信情報取得工程と、を有することを特徴とする印刷物内容情報管理方法により達成される。
【００１７】
第５の発明の構成によれば、第１の発明の構成と同様に、小型で安全性が高い前記タグ部を用いて前記端末装置に必要な情報のみを迅速に提供することができる印刷物内容情報管理方法となる。
【００１８】
第６の発明によれば、第５の発明の構成において、前記印刷物内容配信情報生成工程で生成される前記印刷物内容配信情報には動画情報が含まれることを特徴とする印刷物内容情報管理方法である。
【００１９】
第６の発明の構成によれば、第２の発明の構成と同様に従来の印刷物では提供できなかった動画情報を前記端末装置に提供することができる印刷物内容情報管理方法となる。
【００２０】
第７の発明によれば、第５又は第６の発明の構成において、前記利用情報格納工程の前記利用情報には、前記印刷物情報の課金情報が含まれ、前記端末装置が課金装置に対し送信する課金実行情報を生成する課金実行情報生成工程と、課金装置が前記端末装置から取得した前記課金実行情報に基づき、前記端末装置に送信する課金確認等情報を生成する課金確認等情報生成工程と、を有し、前記印刷物内容要求情報生成工程で、少なくとも前記利用情報及び前記課金確認等情報に基づいて前記印刷物内容要求情報を生成することを特徴とする印刷物内容情報管理方法である。
【００２１】
第７の発明の構成によれば、第３の発明の構成と同様に、前記端末装置は前記課金装置の前記課金確認等情報に基づき前記発行元管理装置に前記印刷物内容要求情報を送信するので、課金を確実に行うことができる印刷物内容情報管理方法となる。
【００２２】
前記課題は、第８の発明によれば、印刷物の内容情報を印刷物内容情報格納手段に格納する印刷物内容情報格納工程と、印刷物内容要求情報取得手段が、電子部品から成り固有識別情報を有するタグ部から端末装置のタグリーダ部が取得した、少なくとも利用情報に基づいて、前記端末装置が生成した印刷物内容要求情報を受信する印刷物内容要求情報取得工程と、前記印刷物内容要求情報と、前記印刷物の内容情報に基づき印刷物内容配信情報を生成する印刷物内容配信情報生成工程と、印刷物内容配信情報送信手段が、前記印刷物内容配信情報を前記端末装置に送信する印刷物内容配信情報送信工程と、を有することを特徴とする印刷物内容情報管理装置の制御方法により達成される。
【００２３】
第８の発明の構成によれば、第１の発明の構成と同様に、小型で安全性が高い前記タグ部を用いて前記端末装置に必要な情報のみを迅速に提供することができる印刷物内容情報管理装置の制御方法となる。
【００２４】
前記課題は、第９の発明によれば、コンピュータに、印刷物の内容情報を印刷物内容情報格納手段に格納する印刷物内容情報格納工程と、印刷物内容要求情報取得手段が、電子部品から成り固有識別情報を有するタグ部から端末装置のタグリーダ部が取得した、少なくとも利用情報に基づいて、前記端末装置が生成した印刷物内容要求情報を受信する印刷物内容要求情報取得工程と、前記印刷物内容要求情報と、前記印刷物の内容情報に基づき印刷物内容配信情報を生成する印刷物内容配信情報生成工程と、印刷物内容配信情報送信手段が、前記印刷物内容配信情報を前記端末装置に送信する印刷物内容配信情報送信工程と、を実行させるための印刷物内容情報管理装置の制御プログラムにより達成される。
【００２５】
第９の発明の構成によれば、第１の発明の構成と同様に、小型で安全性が高い前記タグ部を用いて前記端末装置に必要な情報のみを迅速に提供することができる印刷物内容情報管理装置の制御プログラムとなる。
【００２６】
前記課題は、第１０の発明によれば、コンピュータに、印刷物の内容情報を印刷物内容情報格納手段に格納する印刷物内容情報格納工程と、印刷物内容要求情報取得手段が、電子部品から成り固有識別情報を有するタグ部から端末装置のタグリーダ部が取得した、少なくとも利用情報に基づいて、前記端末装置が生成した印刷物内容要求情報を受信する印刷物内容要求情報取得工程と、前記印刷物内容要求情報と、前記印刷物の内容情報に基づき印刷物内容配信情報を生成する印刷物内容配信情報生成工程と、印刷物内容配信情報送信手段が、前記印刷物内容配信情報を前記端末装置に送信する印刷物内容配信情報送信工程と、を実行させるための印刷物内容情報管理装置の制御プログラムを記録したコンピュータ読み取り可能な記録媒体により達成される。
【００２７】
第１０の発明に構成によれば、第１の発明の構成と同様に、小型で安全性が高い前記タグ部を用いて前記端末装置に必要な情報のみを迅速に提供することができる印刷物内容情報管理装置の制御プログラムを記録したコンピュータ読み取り可能な記録媒体となる。
【発明を実施するための最良の形態】
【００２８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２９】
図１は、本発明の印刷物内容情報管理システムの実施の形態に係る記事情報管理システム１０を示す概略図である。
（記事情報管理システム１０の構成の概略について）
図１に示すように、記事情報管理システム１０は、例えばＡ新聞やＢ雑誌の記事に関する記事見出し情報等を格納したタグ部である例えば、ＲＦ（Ｒａｄｉｏ  Ｆｒｅｑｕｅｎｃｙ）タグ１００を含んでいる。ＲＦタグ１００は新聞等毎に配置され、例えば、図１に示すように、Ａ新聞にはＲＦタグ１００ａ、Ｂ雑誌にはＲＦタグ１００ｂとなっている。
これらのＲＦタグ１００は、図１に示すように販売店１１に、例えば板状のプレートに付されて配置されている。
販売店１１は、例えば、鉄道の駅のホームに設けられ、新聞や雑誌等の販売を行う。
【００３０】
記事情報管理システム１０は、端末装置である例えば、携帯電話２００を有している。携帯電話２００は、利用者がそれぞれ所持していると共に、販売店１１に配置されたＲＦタグ１００と非接触で通信可能なタグリーダ２１０を有している。
このため、携帯電話２００はタグリーダ２１０を介してＲＦタグ１００内の情報を取得可能な構成となっている。
【００３１】
携帯電話２００は、図１に示すように、基地局３００と電話通信可能な構成となっており、基地局３００はインターネット網１４と接続されている。
記事情報管理システム１０は、販売店１１に配置されたＡ新聞社のＲＦタグ１００ａ及びＢ雑誌社のＲＦタグ１００ｂのそれぞれの記事見出し情報に対応した記事の詳細な記事内容等を格納するＡ新聞社サーバ４００及びＢ新聞社サーバ５００を有している。これらＡ新聞社サーバ４００及びＢ新聞社サーバ５００は、印刷物内容情報管理装置の一例である。
【００３２】
Ａ新聞社サーバ４００及びＢ新聞社サーバ５００は、図１に示すようにインターネット網１４と接続されているため、インターネット網１４及び基地局３００を介して携帯電話２００と通信可能な構成となっている。
記事情報管理システム１０は、クレジットカード会社のカード会社課金サーバ７００や携帯電話会社の携帯電話会社課金サーバ６００を含んでいる。カード会社課金サーバ７００や携帯電話会社課金サーバ６００は、課金装置の一例となっている。
カード会社課金サーバ７００は、図１に示すように、インターネット網１４と接続されているため、インターネット網１４及び基地局３００を介して携帯電話２００と通信可能に接続されている。
【００３３】
また、携帯電話会社課金サーバ６００も基地局３００を介して携帯電話２００と通信可能に接続されている。
以下、本実施の形態の記事情報管理システム１０の図１に示す各構成部分について説明する。
【００３４】
（ＲＦタグ１００等のハードウエア構成について）
図２は、図１に示すＲＦタグ１００のハードウエア構成を示す概略図である。
【００３５】
図２に示すように、電子部品からなるＲＦタグ１００は、塩化ビニール等からなるタグ本体１０１を有すると共に、タグ本体１０１にはＩＣ（集積回路）チップ１０２が配置されている。
ＲＦタグ１００は、ＩＣチップ１０２を有すると共に、非接触且つ近接することで外部と通信を行うためのタグ側送受信手段であるアンテナ部１０３を有している。
【００３６】
ＲＦタグ１００は、ＲＦＩＤ（Ｒａｄｉｏ  Ｆｒｅｑｕｅｎｃｙ  Ｉｄｅｎｔｉｆｉｃａｔｉｏｎ：無線を用いた自動認識）を利用しているため、アンテナ部１０３に接触せずに通信することが可能な構成となっている。
また、ＲＦタグ１００は、ＩＣチップ１０２を有しているので、小型化できると共に多くの情報をＩＣチップ１０２に格納することが可能となっている。
このため、従来の２次元コードであるＱＲコードと異なり、情報を多く格納しても大型化することがない。
【００３７】
（携帯電話２００のハードウエア構成について）
図３は、図２の携帯電話２００の主なハードウエア構成を示す概略図である。
図３に示すように、携帯電話２００には、例えばコンピュータ等が搭載されており、コンピュータはバス２０１を有する。バス２０１には、ＣＰＵ（Ｃｅｎｔｒａｌ  Ｐｒｏｃｅｓｓｉｎｇ  Ｕｎｉｔ）２０２、ＲＯＭ（Ｒｅａｄ  Ｏｎｌｙ  Ｍｅｍｏｒｙ）２０３、ＲＡＭ（Ｒａｎｄｏｍ  Ａｃｃｅｓｓ  Ｍｅｍｏｒｙ）２０４等が配置されている。
【００３８】
また、テンキー等の入力装置２０５や、文字や数字等を液晶表示等させるディスプレイ２０６、ＲＦタグ１００に格納されている情報を非接触で取得できるタグリーダ装置２１０も接続されている。
また、図３の通信装置２２０は、図１及び図３に示すように、基地局３００と電話通信可能な構成となっている。
【００３９】
また、上述のバス２０１はすべてのデバイスを接続する機能を有し、アドレスやデータパスを有する内部バス２０１である。ＣＰＵ２０２は、所定のプログラムの処理を行う他、バス２０１に接続されたＲＯＭ２０３等を制御している。ＲＯＭ２０３は、上記プログラムや各種情報等を格納している。
ＲＯＭ２０３は、書き換え可能な不揮発性メモリであるフラッシュメモリを含んでいても良い。このようなフラッシュメモリは、例えばネットワークを通じてダウンロードされたデータ等が格納される。
ＲＡＭ２０４は、上記プログラム処理中のメモリの内容を対比したり、プログラムを実行するためのエリアとしての機能を有する。
【００４０】
（Ａ新聞社サーバ４００等のハードウエア構成について）
図４は、Ａ新聞社サーバ４００（Ｂ雑誌社サーバ５００）の主なハードウエア構成を示す概略図である。Ａ新聞社サーバ４００とＢ雑誌社サーバ５００とは、ほぼ同様な構成であるため、以下、Ａ新聞社サーバ４００についてのみ説明する。
図４に示すようにＡ新聞社サーバ４００は、コンピュータ等が搭載され、図３の携帯電話２００と同様に、バス２０１、ＣＰＵ２０２、ＲＡＭ２０４、ＲＯＭ２０３を有している。
【００４１】
また、携帯電話２００の入力装置２０５より大型のキーボード等からなる入力装置４０５や、同じく携帯電話２００のディスプレイ２０６より大型のディスプレイ４０６を有している。さらに、Ａ新聞の記事の詳細な内容情報等を格納するためのハードディスク４０７も有している。
Ａ新聞社サーバ４００は、インターネット網１４及び基地局３００を介して携帯電話２００の図３に示す通信装置２２０と通信するための管理装置側送受信手段である例えば、通信装置４０８を有している。Ａ新聞社サーバ４００は、印刷物内容情報管理装置の一例である。
【００４２】
（電話会社課金サーバ６００及びカード会社課金サーバ７００のハードウエア構成について）
電話会社課金サーバ６００及びカード会社課金サーバ７００の構成もＡ新聞社サーバ４００と同じであるため、詳細な説明は省略する。なお、電話会社課金サーバ６００は、インターネット網１４を利用する必要がないため、通信装置４０８は備えていない。
【００４３】
（ＲＦタグ１００のソフトウエア構成について）
図５は、ＲＦタグ１００のＩＣチップ１０２内に格納されているデータを示す概略図である。
図５に示すように、ＩＣチップ１０２内には、ＲＦタグ１００の固有ＩＤ情報１２０が格納されている。すなわち、ＲＦタグ固有ＩＤ情報は、固有識別情報の一例であり、ＩＣチップ１０２は固有識別情報格納手段の一例である。
また、ＩＣチップ１０２内には、Ａ新聞等の記事の利用情報である利用情報１１０が格納されている。利用情報１１０には、例えば、記事見出し情報及び記事ＩＤ情報１１０ａ、Ａ新聞社サーバ４００（Ｂ雑誌社サーバ５００）情報１１０ｂが含まれる。また、利用情報１１０には、印刷物情報の課金情報である例えば、記事料金情報１１０ｃ、記事配信条件情報１１０ｄ、及び記事有効期限情報１１０ｅも含まれる。
また、記事見出し情報及び記事ＩＤ情報１１０ａには、記事内容が動画情報を伴うか否かの情報も含まれている。
【００４４】
図５の利用情報１１０は、Ａ新聞の場合は、記事見出し情報及び記事ＩＤ情報１１０ａとして、第１面のトップ記事の見出し情報と、このトップ記事に対応する記事ＩＤ番号等となる。Ａ新聞社サーバ情報１１０ｂとしては、Ａ新聞社サーバ４００へアクセスするためのアドレス情報とである。記事料金情報１１０ｃとしては、トップ記事を配信する際の記事料金（例えば５０円等）である。さらに、記事有効期限情報１１０ｅは、トップ記事の有効期限（年月日等）となる。
これらの利用情報１１０は、印刷物である新聞の内容情報である例えば、記事内容を取得するための利用情報の一例である。また、このような利用情報１１０は、ＩＣチップ１０２内に電子データとして格納されているので、ＩＣチップ１０２は利用情報管理手段の一例である。
【００４５】
また、ＲＦタグ１００のＩＣチップ１０２内の情報は、ＲＦタグ固有ＩＤ情報１２０を有しているので、従来のＱＲコード等と異なり容易に複製することができないので、ＲＦタグ１００内の情報を容易に盗まれることがなく安全性が向上する。
【００４６】
（携帯電話２００のソフトウエア構成等について）
図６は、携帯電話２００の主なソフトウエア構成を示す概略図である。図６に示すように、携帯電話２００は、タグリーダ装置２１０、ディスプレイ装置２０６、通信装置２２０及び入力装置２０５の各々の装置動作を制御するタグリーダ装置管理部２１０ａ、ディスプレイ装置管理部２０６ａ、通信装置管理部２２０ａ及び入力装置管理部２０５ａをそれぞれ有している。また、全体の動作を制御する携帯制御部２３０を有している。
【００４７】
携帯電話２００は、図３のタグリーダ装置２１０が、ＲＦタグ１００から取得した図５の利用情報１１０を登録するためのＲＦタグ情報登録用データファイル２３３を有している。
また、携帯電話２００は、図３の通信装置２２０が電話通信等を行うための電話通信用データが格納されている電話通信用データファイル２３４や、図５のＲＦタグ１００の記事料金情報１１０ｃに基づき、図３のディスプレイ２０６に料金表示画面を生成するための料金表示画面情報を格納する料金表示画面生成用データファイル２３５を有している。
【００４８】
携帯電話２００は、携帯電話２００の利用者に課金の確認等を行うための意思確認画面を生成する意思確認画面生成用データファイル２３６を有している。
また、携帯電話２００の利用者が、課金を選択したときは、図１のＡ新聞社サーバ４００等に対し送信する課金実行情報を生成するための課金実行情報生成情報である課金実行情報生成用データを格納する課金実行情報生成用データファイル２３２を有している。すなわち、課金実行情報生成用データファイル２３２は、課金実行情報生成情報格納手段の一例である。
【００４９】
また、携帯電話２００の利用者が記事の課金をクレジットカードで処理するか、通話料金と共に処理するか、を選択するための課金方法の情報を格納する課金方法データファイル２３８を有している。
すなわち、課金実行情報生成用データファイル２３２で生成される課金実行情報を、図１のカード会社課金サーバ７００に送信するか、電話会社課金サーバ６００に送信するかの課金方法の選択情報が、課金方法データファイル２３８に格納されている。
また、携帯電話２００は、利用者がクレジットカードでの課金処理を選択した場合に、図１のカード会社課金サーバ７００へカード認証要求情報を送信する。このため、携帯電話２００は、カード認証要求情報を生成するためのカード認証要求情報生成用データファイル２３９を有している。
【００５０】
カード会社課金サーバ７００の課金処理が終了すると、詳細は後述するが、課金確認情報が携帯電話２００に送信される。そして、携帯電話２００は、図６のタグリーダ装置管理部２１０ａで取得した、図５に示す記事見出し情報及び記事ＩＤ情報１１０ａと、カード会社課金サーバ７００等から取得した前記課金確認情報とに基づいて、記事見出し情報等に対応する詳細な記事の内容情報を要求するための記事要求情報を生成する。
このため、携帯電話２００は、図６に示すように、記事要求情報を生成するための記事要求情報生成用データを格納する記事要求情報生成用データファイル２３１を有している。
記事要求情報が印刷物内容要求情報の一例であり、記事要求情報生成用データが印刷物内容要求情報生成情報の一例であり、記事要求情報生成用データファイル２３１が、印刷物内容要求情報生成情報格納手段の一例である。
【００５１】
具体的には、図６のタグリーダ装置管理部２１０ａが取得した図５に示す記事見出し情報及び記事ＩＤ情報１１０ａから携帯電話２００の利用者が記事見出し情報（例えば、Ａ新聞の第１面のトップ記事）を選択すると、カード会社課金サーバ７００により課金処理が行われる。その後、Ａ新聞の第１面のトップ記事に対応する記事内容を要求する記事要求情報が記事要求情報生成データファイル２３１に基づき生成される。
生成された記事要求情報は、Ａ新聞社サーバ４００へ送信され、Ａ新聞社サーバ４００は、第１面のトップ記事の記事内容を携帯電話２００に送信される（詳細は後述する）。
【００５２】
また、携帯電話２００は、Ａ新聞社サーバ４００から入手したトップ記事等の記事内容を登録するための記事情報登録用データファイル２３７を有している。
【００５３】
（Ａ新聞社サーバ４００のソフトウエア構成について）
図７は、Ａ新聞社サーバ４００（Ｂ雑誌社サーバ５００については、ほぼ同様の構成なので、Ａ新聞社サーバ４００のみ説明する）の主なソフトウエア構成等を示す概略図である。
図７に示すＡ新聞社サーバ４００は、図１に示すように、ウエブ管理部４０９及び電子メール管理部４１０を有しており、インターネット網１４を介して携帯電話２００と接続できる構成となっている。これによりＡ新聞社サーバ４００は、携帯電話２００と電子メール等により情報の授受を行なうことができる。
すなわち、ウエブ管理部４０９及び電子メール管理部４１０は、携帯電話２００が生成した印刷物内容要求情報（上述の記事要求情報）を受信する印刷物内容要求情報取得手段の一例である。
また、ウエブ管理部４０９及び電子メール管理部４１０は、後述する印刷物内容配信情報を携帯電話２００に送信する印刷物内容配信情報送信手段の一例ともなっている。
【００５４】
また、Ａ新聞社サーバ４００は、サーバを制御する発行元サーバ制御部４１１を有している。
そして、Ａ新聞社サーバ４００は、図５に示すＲＦタグ１００の記事見出し情報及び記事ＩＤ情報１１０ａに対応する詳細な記事の内容が格納されている記事情報データベース４１２を有している。
すなわち、例えばＲＦタグ１００に、記事見出し情報及び記事ＩＤ情報１１０ａとしてＡ新聞の第１面のトップ記事の記事見出し情報が格納されている場合は、ＲＦタグ１００には、記事の詳細な内容な格納されておらず、記事の詳細な記事内容は、記事情報データベース４１２に格納されている。
したがって、記事情報データベース４１２は、印刷物の内容情報を格納する印刷物内容情報格納手段の一例となる。
【００５５】
また、Ａ新聞社サーバ４００は、例えば第１面のトップ記事の詳細な記事内容を格納する記事情報データベース４１２を有している。
また、Ａ新聞社サーバ４００は、携帯電話２００からの例えば、第１面のトップ記事の記事内容の記事要求情報と、記事情報データベース４１２内のトップ記事の詳細な記事内容情報とに基づき、トップ記事の詳細な記事内容を含む記事配信情報を生成する。
そして、この記事配信情報を生成するための記事配信情報生成用データを格納する記事配信情報生成用データファイル４１４を有している。
したがって、記事配信情報生成用データベース４１４は、印刷物内容要求情報と印刷物の内容情報に基づき印刷物内容配信情報を生成する内容配信生成情報を格納する内容配信生成情報格納手段の一例である。
【００５６】
（カード会社課金サーバ７００のソフトウエア構成等について）
図８は、図１及び図３に示すカード会社課金サーバ７００の主なソフトウエア構成を示す概略図である。
図８のカード会社課金サーバ７００は、クレジットカード会社に配置されると共に、図１に示すように、上述のＡ新聞社サーバ４００等と同様に、ウエブ管理部７０１及び電子メール管理部７０２を有しており、インターネット網１４を介して携帯電話２００と接続できる構成となっている。
【００５７】
また、カード会社課金サーバ７００は、サーバの動作を制御するカード会社サーバ制御部７０３を有している。そして、カード会社課金サーバ７００は、携帯電話２００の利用者が保持するクレジットカードに関する情報を格納するカード情報データベース７０４を有している。
また、カード会社課金サーバ７００は、携帯電話２００で利用者が入力した自己のクレジットカードの番号等や暗証番号等と、図６のカード認証要求情報生成用データファイル２３２に基づき生成されたカード認証要求情報の内容の適否を判断するためのカード認証要求判断用データファイル７０５を有している。
具体的には、携帯電話２００から送信された利用者のクレジットカードの番号等をカード情報データベース７０４内の情報と比較することで適否を判断する。
【００５８】
また、カード会社課金サーバ７００は、カード認証要求判断用データファイル７０５による判断結果を、携帯電話２００へ送信するための情報であるカード認証結果生成用データファイル７０６を有している。
そして、カード認証結果情報を受信した携帯電話２００が、上述のように図６の課金実行情報生成用データファイル２３２に基づき課金実行情報を生成し、カード会社課金サーバ７００へ送信する。
課金実行情報を取得したカード会社課金サーバ７００は、課金実行情報判断用データファイル７０７に基づき課金実行情報の適否を判断し、図８のカード情報データベース７０４内の当該利用者のデータに課金処理を行う。
このように利用者データについての課金処理が終了すると、図８の課金確認情報生成用データファイル７０８に基づき、課金確認情報が生成され、携帯電話２００に送信される。
【００５９】
すなわち、課金確認情報生成用データファイル７０８は、課金実行情報に基づき、端末装置（携帯電話２００）に送信する課金確認情報を生成する課金確認等生成情報を格納する課金確認等生成情報格納手段の一例である。
【００６０】
（電話会社課金サーバ６００のソフトウエア構成について）
図９は、電話会社課金サーバ６００の主なソフトウエア構成等を示す概略図である。図９に示すように、電話会社課金サーバ６００は、基地局３００と通信するための通信管理部６０１を有しており、電話会社課金サーバ６００は基地局３００を介して携帯電話２００に通信可能に構成されている。
また、電話会社課金サーバ６００は、サーバを制御するための電話会社サーバ制御部６０２を有している。そして、図６の携帯電話２００で、利用者が課金方法として電話料金に課金することを選択した場合は、課金実行情報生成用データファイル２３２で生成された課金実行情報が、電話会社課金サーバ６００に送信される構成となっている。
【００６１】
このような課金実行情報を受信した電話会社課金サーバ６００は、利用者データベース６０４に携帯電話２００の利用者の情報を格納する。また、電話会社課金サーバ６００は、上述の携帯電話２００からの課金実行情報に基づき、当該携帯電話２００の利用者に対して課金処理をする課金実行データファイル６０３を有している。
また、電話会社課金サーバ６００は、課金実行データファイル６０３による課金実行が行なわれたことを確認する情報である課金確認情報を生成するための課金確認情報生成用データを格納する課金確認情報生成用データファイル６０５を有している。
このように生成された課金確認情報は、携帯電話２００に送信され、携帯電話２００は上述のように送信された課金確認情報に基づいて、記事要求情報等を生成し記事内容をＡ新聞社サーバ４００等に請求することとなる。
【００６２】
（本実施の形態の新聞雑誌等の記事情報管理システム１０の動作例について）
本実施の形態にかかる新聞雑誌等の記事情報管理システム１０は以上のように構成される。以下、その動作例について説明する。
図１０及び図１１は、新聞雑誌等の記事情報管理システム１０の動作例を示す概略フローチャートである。
【００６３】
本動作例では、図１の販売店１１の店頭に、新聞雑誌等のＲＦタグ１００が付されるプレートが配置され、それぞれのプレートの右上の隅にＲＦタグ１００が配置されている。また、ＲＦタグ１００は、それぞれＡ新聞に関するＲＦタグ１００ａと、ＲＦタグ１００ｂはＢ雑誌に関するＲＦタグ１００ｂに分けられている。
ＲＦタグ１００ａにはＡ新聞について、図５に示すような記事見出し情報及び記事ＩＤ情報１１０ａ等の利用情報１１０が格納され、ＲＦタグ１００ｂにはＢ雑誌について同様に利用情報１１０が格納される（利用情報格納工程の一例）。
また、Ａ新聞社サーバ４００及びＢ雑誌社サーバ５００の図７の記事情報データベース４１２内にも、ＲＦタグ１００ａ、１００ｂに対応する記事の具体的内容が格納される（印刷物内容情報格納工程の一例）。
【００６４】
ここで、図１の携帯電話２００の利用者である利用者（甲）が、鉄道の駅のホームに設けられている図１の販売店１１でＡ新聞の第１面のトップ記事を入手したいと考えている場合を例として説明する。
まず、利用者（甲）は自己の携帯電話２００の図１のタグリーダ２１０部分を、駅の販売店１１に配置されているＡ新聞のＲＦタグ１００ａに近づける。これにより、上述のようにタグリーダ２１０は、ＲＦタグ１００ａと交信を行い（ＳＴ１）、ＲＦタグ１００ａ内の図５に示すような利用情報１１０を取得する（ＳＴ２）（利用情報取得工程の一例）。
【００６５】
次に、携帯電話２００は、ＲＦタグ１００ａから取得した、図５の記事配信条件情報１１０ｄや記事有効期限情報１１０ｅから利用者（甲）が利用可能か否かを判断する（ＳＴ３）。
具体的には、記事有効期限情報１１０ｅから第１面のトップ記事が未だ配信可能か否かを判断する。また、記事配信条件情報１１０ｄから、このトップ記事に特別な配信条件が付されていないか、そして、付されている場合は、その条件を具備するか否かを判断する。
ＳＴ３で、利用可能でなければ、そのまま終了し、利用可能であれば、携帯電話２００は、図３のディスプレイ２０６に図５の記事見出し情報等を表示する。
有効期限内である場合は、利用者（甲）は、Ａ新聞の第１面のトップ記事を入手したいのであるから、トップ記事の見出し情報を図３の入力装置２０５を用いて選択する（ＳＴ４）。
具体的には、図１０に示すように「選挙始まる」「経済予測発表」「桜咲く」等の記事見出し情報が表示され、利用者（甲）が携帯電話２００の入力装置２０５で選択する。
ここでは、「選挙始まる」の記事を選択したとする。
【００６６】
次に、選択されたトップ記事「選挙始まる」の料金を図３のディスプレイ２０６に表示する。具体的には、図６の料金表示画面生成用データファイル２３５や図５の記事料金情報１１０ｃ等に基づいて表示される。
また、ディスプレイ２０６には、トップ記事「選挙始まる」を有料で購入するか否かの意思確認画面も表示される。具体的には、図６の意思確認画面生成用データファイル２３６等に基づいて表示される（ＳＴ５）。
具体的には、図１０に示すように「購入する」「購入しない」を選択する画面が表示される。
【００６７】
意思確認画面において、利用者（甲）が入力装置２０５を操作して購入するか否かを判断する（ＳＴ６）。「購入しない」を選択すれば本動作は終了し、「購入する」を選択すれば、動作を続行し、意思確認画面の次に、ディスプレイ２０６に、課金方法が表示される（ＳＴ７）。
ディスプレイ２０６には、クレジットカードにより料金を支払うか、電話料金と共に料金を支払うかの選択画面が表示される（ＳＴ８）。具体的には図６の課金方法データファイル２３８等に基づき表示される。
【００６８】
ここで、利用者（甲）がクレジットカードを選択すると、携帯電話２００はディスプレイ１０６にクレジットカード情報の入力画面を表示する（ＳＴ９）。
利用者（甲）が入力装置１０５で、クレジットカード情報を入力すると、この情報に基づき携帯電話２００は、クレジットカードのカード会社課金サーバ７００へ送信するための、カード認証要求情報を生成し、送信する（ＳＴ１０）。
カード認証要求情報は、図６のカード認証要求情報生成用データファイル２３９等に基づいて生成される。
【００６９】
カード認証要求情報を受信した図１のカード会社課金サーバ７００は、図８のカード認証要求判断用データファイル７０５のデータに基づき、カード情報データベース７０４内の利用者（甲）のデータを参照し、カード認証結果情報を生成する。
すなわち、カード認証結果情報は、図８のカード認証結果生成用データファイル７０６等に基づいて生成され、カード認証成功、もしくはカード認証失敗の情報となる。
このカード認証成功等のカード認証結果情報は携帯電話２００に送信される（ＳＴ１１）。
【００７０】
携帯電話２００はカード認証失敗の場合は、利用者（甲）にカード情報の再入力を促す（ＳＴ１２）。カード認証成功の場合は、携帯電話２００は課金実行情報を生成し、カード会社課金サーバ７００へ送信する（ＳＴ１３）（課金実行情報生成工程の一例）。
課金実行情報は、図６の課金実行情報生成用データファイル２３２等に基づいて生成される。
【００７１】
課金実行情報を受信したカード会社課金サーバ７００は、図８の課金実行情報判断用データファイル７０７で課金実行情報を判断し、カード情報データベース７０４内の利用者（甲）のデータに課金処理を行う。
課金処理が終了した後、カード会社課金サーバ７００は、課金確認情報生成用データファイル７０８等に基づいて課金確認情報を生成し、携帯電話２００へ送信する（ＳＴ１４）（課金確認等情報生成工程の一例）。
【００７２】
課金確認情報を受信した携帯電話２００は、この課金確認情報とＡ新聞の記事見出し情報及び記事ＩＤ情報１１０ａ等からＡ新聞のトップ記事「選挙始まる」の記事内容を要求する記事要求情報を生成し、図１のＡ新聞社サーバ４００へ送信する（ＳＴ１５）（印刷物内容要求情報生成工程及び印刷物内容要求情報取得工程の一例）。
すなわち、携帯電話２００は、図６の記事要求情報生成用データファイル２３１等に基づき、Ａ新聞のトップ記事「選挙始まる」についての記事要求情報を生成する。
【００７３】
Ａ新聞社サーバ４００は、既に課金が確認された記事要求情報を受信すると、Ａ新聞のトップ記事「選挙始まる」の内容を記事情報データベース４１２から取得し、さらに、記事配信情報生成用データファイル４１４に基づき、Ａ新聞のトップ記事「選挙始まる」の記事配信情報を生成し、携帯電話２００へ送信する（ＳＴ１６）（印刷物内容配信情報生成工程及び印刷物内容配信情報送信工程の一例）。
【００７４】
Ａ新聞のトップ記事「選挙始まる」の記事配信情報を取得した携帯電話２００は記事購入条件を登録し、Ａ新聞のトップ記事「選挙始まる」の内容を図６の記事情報登録用データファイル２３７に登録すると共に、図３のディスプレイ２０６に表示する（ＳＴ１７）（印刷物内容配信情報取得工程の一例）。
これにより、利用者（甲）は、自己の携帯電話２００に、Ａ新聞のうち必要な記事であるトップ記事「選挙始まる」のみを電子データとして表示させることができる。すなわち、利用者（甲）は、Ａ新聞を印刷物としてではなく、電子データとして、しかも必要な部分のみを入手することができる。
したがって、従来のように印刷物で、しかも全部の記事を入手する必要はないので、利用者（甲）は、記事を保管等し易くなる。また、無駄な紙の消費を抑えることができるので、環境にも優しいシステムとなる。
【００７５】
また、本実施の形態によれば、Ａ新聞のトップ記事「選挙始まる」の内容は印刷物ではなく、図１のＡ新聞社サーバ４００の記事情報データベース４１２内に格納されるので、記事内容は紙面の制限がないので、印刷物の場合より記事内容を多くすることができる。
また、記事内容は動画情報とすることもできるので、より多くの情報を利用者（甲）に提供することできる。具体的には、選挙に関する候補者の演説の様子を動画情報として携帯電話２００へ配信可能となる。
【００７６】
また、本実施の形態によれば、図１の販売店１１では、Ａ新聞やＢ雑誌等の例えばプレートを配置すればよいので、多種類の新聞や雑誌等を大量に配置する必要がないので、販売面積等を大きくする必要がなく、販売店１１の設置のコストを著しく低下させることができる。
このようにＲＦタグ１００ａ等を用いることで小型で安全性が高く、かつ携帯電話２００の利用者（甲）に必要な情報のみを提供することができるシステムとなる。
【００７７】
また、本実施の形態では、利用者（甲）の携帯電話２００は、カード会社課金サーバ７００からの課金確認情報を受信した後、Ａ新聞サーバ４００にＡ新聞のトップ記事「選挙始まる」の内容を要求する。また、Ａ新聞社サーバ４００は、課金を確認した後、Ａ新聞のトップ記事の詳細な記事内容を携帯電話２００に送信するので、確実に課金をすることができ、課金漏れ等を未然に防止することができる。
【００７８】
ところで、上述の図１０のクレジットカードを選択しない場合は、携帯電話２００のディスプレイ２０６（図３参照）には「通話料金と共に請求します」（図１１参照）旨の表示がされる（ＳＴ１８）。
そして、携帯電話２００は、図６の課金実行情報生成用データファイルで課金実行情報を生成し、図１の電話会社課金サーバ６００に送信する（ＳＴ１９）。
電話会社課金サーバ６００では、図９の課金実行データファイル６０３に基づき利用者データベース内の利用者（甲）のデータに課金登録をする（ＳＴ２０）。
【００７９】
そして、電話会社課金サーバ６００は、図９の課金確認情報生成用データファイル６０５等に基づいて課金確認情報を生成し、携帯電話２００に送信する（ＳＴ２１）。
その後は、上述の図１１のＳＴ１５乃至ＳＴ１７と同様に処理される。
【００８０】
このため、本実施の形態では、課金方法を複数種類、準備することもできるので利用者（甲）にとって使い易い新聞雑誌等の記事情報管理システム１０となる。
また、本実施の形態の説明では、図１のＡ新聞のＲＦタグ１００ａを利用者（甲）が選択した場合について説明したが、利用者（甲）が図１のＢ雑誌のＲＦタグ１００ｂを選択した場合も同様であり、印刷物としては厚み等が異なるものであっても同様に処理することができる。
【００８１】
（プログラム及びコンピュータ読み取り可能な記録媒体等について）
コンピュータに上述の動作例の印刷物内容情報格納工程、印刷物内容要求情報取得工程、印刷物内容配信情報生成工程、印刷物内容配信情報送信等を実行させるための印刷物内容情報管理装置の制御プログラム等とすることができる。
また、このような印刷物内容情報管理装置の制御プログラム等を記録したコンピュータ読み取り可能な記録媒体等とすることもできる。
これら印刷物内容情報管理装置の制御プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００８２】
本発明は、上述の実施の形態に限定されない。さらに、上述の各実施の形態は、相互に組み合わせて構成するようにしてもよい。
【図面の簡単な説明】
【００８３】
【図１】本発明の印刷物内容情報管理システムの実施の形態に係る新聞雑誌等の記事情報管理システムを示す概略図である。
【図２】図１に示すＲＦタグのハードウエア構成等を示す概略図である。
【図３】図２の携帯電話の主なハードウエア構成等を示す概略図である。
【図４】Ａ新聞社サーバ（Ｂ雑誌社サーバ）の主なハードウエア構成等を示す概略図である。
【図５】図２のＲＦタグのＩＣチップ内に格納されているデータを示す概略図である。
【図６】図１及び図３の携帯電話の主なソフトウエア構成等を示す概略図である。
【図７】Ａ新聞社サーバ（Ｂ雑誌社サーバ）の主なソフトウエア構成等を示す概略図である。
【図８】図１及び図３に示すカード会社課金サーバの主なソフトウエア構成等を示す概略図である。
【図９】電話会社課金サーバの主なソフトウエア構成等を示す概略図である。
【図１０】新聞雑誌等の記事情報管理システムの動作例を示す概略フローチャートである。
【図１１】新聞雑誌等の記事情報管理システムの動作例を示す他の概略フローチャートである。
【符号の説明】
【００８４】
１０・・・新聞雑誌等の記事情報管理システム、１１・・・販売店、１２・・・Ａ新聞、１３・・・Ｂ雑誌、１４・・・インターネット網、１００ａ、１００ｂ・・・ＲＦタグ、１０１・・・タグ本体、１０２・・・ＩＣチップ、１０３・・・アンテナ部、１１０・・・利用情報、１１０ａ・・・記事見出し情報及び記事ＩＤ情報、１１０ｂ・・・Ａ新聞社（Ｂ雑誌社）サーバ情報、１１０ｃ・・・記事料金情報、１１０ｄ・・・記事配信条件情報、１１０ｅ・・・記事有効期限情報、１２０・・・ＲＦタグ固有ＩＤ情報、２００・・・携帯電話、２０１・・・バス、２０２・・・ＣＰＵ、２０３・・・ＲＯＭ、２０４・・・ＲＡＭ、２０５、４０５・・・入力装置、２０５ａ・・・入力装置管理部、２０６、４０６・・・ディスプレイ、２０６ａ・・・ディスプレイ装置管理部、２１０・・・タグリーダ、２１０ａ・・・タグリーダ装置管理部、２２０、４０８・・・通信装置、２２０ａ・・・通信装置管理部、２３０・・・携帯制御部、２３１・・・記事要求情報生成データファイル、２３２・・・カード認証要求情報生成用データファイル、２３３・・・ＲＦタグ情報登録用データファイル、２３４・・・電話通信用データファイル、２３５・・・料金表示画面生成用データファイル、２３６・・・意思確認画面生成用データファイル、２３７・・・記事情報登録用データファイル、２３８・・・課金方法データファイル、２３９・・・カード認証要求情報生成用データファイル、３００・・・基地局、４００・・・Ａ新聞社サーバ、４０７・・・ハードディスク、４０９、７０１・・・ウエブ管理部、４１０、７０２・・・電子メール管理部、４１１・・・発行元サーバ制御部、４１２・・・記事情報データベース、４１３・・・記事要求情報判断用データファイル、４１４・・・記事配信情報生成用データファイル、６００・・・携帯電話会社課金サーバ、６０１・・・通信管理部、６０２・・・電話会社サーバ制御部、６０３・・・課金実行データファイル、６０４・・・利用者データベース、６０５・・・課金確認情報生成用データファイル、７００・・・カード会社課金サーバ、７０３・・・カード会社サーバ制御部、７０４・・・カード情報データベース、７０５・・・カード認証要求判断用データファイル、７０６・・・カード認証結果生成用データファイル、７０７・・・課金実行情報判断用データファイル、７０８・・・課金確認情報生成用データファイル。
【図１】
2005258658.tif 000003
【図２】
2005258658.tif 000004
【図３】
2005258658.tif 000005
【図４】
2005258658.tif 000006
【図５】
2005258658.tif 000007
【図６】
2005258658.tif 000008
【図７】
2005258658.tif 000009
【図８】
2005258658.tif 000010
【図９】
2005258658.tif 000011
【図１０】
2005258658.tif 000012
【図１１】
2005258658.tif 000013